(57)【特許請求の範囲】
【請求項１】
正面、後面、ならびに前記正面および前記後面の間に有り表面を有する側壁を有するボディであって、前記正面および前記後面の間に長手方向に延在するボディであって、該長手方向にソケット内に挿入される様に構成されたボディ；
前記ボディの前記後面に接続され、前記側壁の前記表面を越えて、前記長手方向とは垂直方向に延在する平面状の背面プレートであって、取り外し工具の先端部を受け入れるための複数の孔を備える平面状の背面プレート；ならびに
各孔に隣接する前記側壁の一つにある溝であって、取り外し工具の先端部を孔に通して受け入れ、前記溝を介して前記先端部の方向を案内するための溝；を備え、
前記平面状の背面プレートにある前記複数の孔のうちの１つは、適合する取り外し工具を用いなければ解除できないロック構造を形成するために、前記平面状の背面プレートにある前記複数の孔のうちの他の１つとは構成が異なり、それによって、前記平面状の背面プレートにあるすべての前記孔を通るための前記ロック構造と適合する先端部を有する取り外し工具を必要とする：光ファイバコネクタプラグ。
【請求項２】
前記平面状の背面プレートおよび前記ボディにある光ファイバコネクタ口内に位置する光ファイバケーブルを収容するためのブーツ；ならびに
前記光ファイバコネクタプラグの前記後面で引っかかり防止ガイドとして機能するために、前記ブーツの表面と前記平面状の背面プレートの外縁との間に形成される斜面：
をさらに備える、請求項１に記載の光ファイバコネクタプラグ。
【請求項３】
前記光ファイバコネクタプラグの前記平面状の背面プレートにある前記複数の孔の前記ロック構造と合致する複数の先端部を有する取り外し工具：
をさらに備える、請求項１に記載の光ファイバコネクタプラグ。
【請求項４】
前記取り外し工具にある前記先端部のうちの１つは、前記平面状の背面プレートにある他の孔とは構成が異なり、前記先端部の前記構成は、前記平面状の背面プレートにある前記孔の構成と合致し、それによって前記取り外し工具はその特定の光ファイバコネクタプラグにロックされることができるとともに、前記先端部をすべて前記平面状の背面プレートにある前記孔に通すことができる、請求項３に記載の光ファイバコネクタプラグ。
【請求項５】
前記側壁は、前記光ファイバコネクタプラグを結合アダプタ内に固定するラッチアームを受け入れるための、前記長手方向とは垂直方向のノッチを備える、請求項１に記載の光ファイバコネクタプラグ。
【発明の詳細な説明】
【技術分野】
【０００１】
本発明は、全体的に光ファイバコネクタに関し、さらに詳細には、特定の取り外し工具を用いてのみ外すことのできる安全ＳＣコネクタに関する。
【背景技術】
【０００２】
本出願は、（１）２０１２年５月２１日に出願された特許文献１、発明の名称「Ｓｅｃｕｒｅ  ＳＣ  Ｏｐｔｉｃａｌ  Ｆｉｂｅｒ  Ｃｏｎｎｅｃｔｏｒ  Ａｎｄ  Ｒｅｍｏｖａｌ  Ｔｏｏｌ」、および（２）２０１３年４月８日に出願された特許文献２、発明の名称「Ｓｅｃｕｒｅ  ＳＣ  Ｏｐｔｉｃａｌ  Ｆｉｂｅｒ  Ｃｏｎｎｅｃｔｏｒ  Ａｎｄ  Ｒｅｍｏｖａｌ  Ｔｏｏｌｓ」に対する優先権を主張し、この両仮特許出願の全容を参照することにより本願に援用する。
【０００３】
光ファイバコネクタは、民間用途にも軍事用途にも広く使用されている。このどちらの用途においても安全性が課題である。正しい光ファイバコネクタプラグをそれに対応する正しい光ファイバコネクタに的確に接続するのが重要であるだけでなく、接続した光ファイバコネクタプラグが権限のないユーザによって取り外されないようにすることも重要である。さらに、光ファイバコネクタ口が権限のないユーザにアクセスされないようにすることが重要である。
【０００４】
このほか、光ファイバコネクタプラグを有する光ファイバケーブルが設置されるか取り外される際に、光ファイバコネクタプラグが周囲の光ファイバケーブル、その他の光ファイバコネクタプラグ、ケーブルトレイの縁および角、導管などに捕捉されたり引っかかったりすることが非常によくある。
【０００５】
したがって、光ファイバコネクタプラグをそれに対応する正しい光ファイバコネクタに接続しやすくする光ファイバコネクタプラグおよび光ファイバコネクタを提供する必要がある。さらに、権限のないユーザが外せない光ファイバコネクタプラグを提供する必要もある。このほか、装着されている光ファイバケーブルが設置過程または引き抜き過程で縁および角の周りで引っ張られる際に、捕捉され引っかかることのない光ファイバコネクタプラグが必要である。
【先行技術文献】
【特許文献】
【０００６】
【特許文献１】米国仮特許出願第６１／６４９，８６７号
【特許文献２】米国仮特許出願第６１／８０９，８７２号
【発明の概要】
【発明が解決しようとする課題】
【０００７】
本発明の１つの態様は、設置過程および取り外し過程で装着ケーブルが角および縁の周りで引っ張られた際に、光ファイバコネクタプラグまたはコネクタが角および縁に捕捉されないようにするための引っかかり防止ガイドを備える光ファイバコネクタプラグを提供することである。
【課題を解決するための手段】
【０００８】
本発明のもう１つの態様は、特殊な鍵付きの取り外し工具を用いてのみ外すことのできる光ファイバコネクタプラグまたはコネクタを提供することである。光ファイバコネクタまたはプラグは、引っかかり防止用特徴部など、異なる色にコード化した特徴部をコネクタ本体に有してキー溝を識別し、同じ色を有し機械的に適合するキー溝を有する取り外し工具のみが、同じ色の引っかかり防止ガイドを有する光ファイバコネクタプラグをロック解除して取り外すことができる。
【０００９】
本発明は、光ファイバＳＣコネクタに対するロック解除・解放工具を提供する。標準のＳＣコネクタは通常、外側シュラウドを有し、このシュラウドを引っ張るかスライドさせて戻して結合アダプタ／レセプタクル内のラッチアームを解放してプラグを解放する。これは、内側本体の部品と、スライドして解放する外側シュラウドとを備えたプッシュプル方式の設計である。本発明は、オペレータが通常引き寄せる外側シュラウドを排除した単一の本体である。このほか、本発明は、物理的な接近、不法な改造、または任意の物体もしくは無許可の工具を挿入して無理にラッチを解除することを制限するように設計される。したがって、安全ＳＣコネクタを差し込むと、結合アダプタ内のラッチアームを持ち上げて外す手段はない。
【００１０】
本発明によって、光ファイバコネクタプラグをロック解除して取り外すことができ、これは、光ファイバコネクタプラグの背面プレートを通っている複数のスロットを設け、これに対応して適合する解放工具の先端部であって、少なくとも１つの先端部の幅または形状が異なっていてもよい先端部を、挿入時に受け入れアダプタまたは結合アダプタ内のラッチアームの下に突出させることによって行う。その設計は、業界の標準ＳＣインターフェースと互換性がある。
【００１１】
本発明は、光ファイバＳＣコネクタに対するロック解除・解放工具を提供する。標準のＳＣコネクタは通常、青、緑またはベージュの外側シュラウドを有し、このシュラウドを引っ張るかスライドさせて戻して結合アダプタ／レセプタクル内のラッチアームを解放してプラグを解放する。これは、内側本体の部品と、スライドして解放する外側シュラウドとを備えたプッシュプル方式の設計である。本発明は、オペレータが通常引き寄せる外側シュラウドを排除した単一の本体である。このほか、本発明は、物理的な接近、不法な改造、または任意の物体もしくは無許可の工具を挿入して無理にラッチを解除することを制限するように設計される。したがって、安全ＳＣコネクタを差し込むと、アダプタ内のラッチアームを持ち上げて外す手段はない。
【００１２】
本発明によって、安全ＳＣコネクタをロック解除して取り外すことができ、これは、ハウジングまたはコネクタ本体の後方シェルの後ろを通っている複数のスロットを設け、解放工具の単一または複数のアームまたは延長部を、挿入時にラッチアームの下に突出させることによって行う。その設計は、業界の標準ＳＣインターフェースと互換性がある。本発明は、何も差し込んでいない口をロックして保護するための栓または外側シェル部品を提供する。
【図面の簡単な説明】
【００１３】
【図１】本発明に従って構成した光ファイバコネクタプラグの斜視図である。
【図２ａ】図１に示した光ファイバコネクタプラグの正面図である。
【図２ｂ】図１に示した光ファイバコネクタプラグの下面図である。
【図２ｃ】図１に示した光ファイバコネクタプラグの側面図である。
【図２ｄ】図１に示した光ファイバコネクタプラグの上面図である。
【図２ｅ】図１に示した光ファイバコネクタプラグの背面図である。
【図３】結合アダプタに接続した図１の光ファイバコネクタプラグの斜視図である。
【図４ａ】図３に示した光ファイバコネクタプラグおよび結合アダプタの正面図である。
【図４ｂ】図３に示した光ファイバコネクタプラグおよび結合アダプタの下面図である。
【図４ｃ】図３に示した光ファイバコネクタプラグおよび結合アダプタの側面図である。
【図４ｄ】図３に示した光ファイバコネクタプラグおよび結合アダプタの上面図である。
【図４ｅ】図３に示した光ファイバコネクタプラグおよび結合アダプタの背面図である。
【図５】本発明に従って構成した取り外し工具の斜視図である。
【図６】図５に示した取り外し工具のもう１つの斜視図である。
【図７ａ】図５および図６に示した取り外し工具の正面図である。
【図７ｂ】図５および図６に示した取り外し工具の下面図である。
【図７ｃ】図５および図６に示した取り外し工具の側面図である。
【図７ｄ】図５および図６に示した取り外し工具の上面図である。
【図７ｅ】図５および図６に示した取り外し工具の背面図である。
【図８】図５および図６に示した取り外し工具の先端部の側面図である。
【図９】図１に示した光ファイバコネクタプラグに取り付けた図５および図６の取り外し工具の斜視図である。
【図１０】図９に示した取り外し工具および光ファイバコネクタプラグを図３に示した結合アダプタに接続したものの斜視図である。
【図１１ａ】図１０に示した取り外し工具、光ファイバコネクタプラグ、および結合アダプタの正面図である。
【図１１ｂ】図１０に示した取り外し工具、光ファイバコネクタプラグ、および結合アダプタの下面図である。
【図１１ｃ】図１０に示した取り外し工具、光ファイバコネクタプラグ、および結合アダプタの側面図である。
【図１１ｄ】図１０に示した取り外し工具、光ファイバコネクタプラグ、および結合アダプタの上面図である。
【図１１ｅ】図１０に示した取り外し工具、光ファイバコネクタプラグ、および結合アダプタの背面図である。
【図１２】図１０および図１１ａ〜図１１ｅに示した取り外し工具、光ファイバコネクタプラグ、および結合アダプタの断面図である。
【図１３】図１２に示した断面図の拡大断面図である。
【図１４ａ】図１に示した光ファイバコネクタプラグハウジングの正面図である。
【図１４ｂ】図１に示した光ファイバコネクタプラグハウジングの下面図である。
【図１４ｃ】図１に示した光ファイバコネクタプラグハウジングの側面図である。
【図１４ｄ】図１に示した光ファイバコネクタプラグハウジングの上面図である。
【図１４ｅ】図１に示した光ファイバコネクタプラグハウジングの背面図である。
【図１５】図１に示した引っかかり防止ガイドの斜視図である。
【図１６ａ】図１に示した引っかかり防止ガイドの正面図である。
【図１６ｂ】図１に示した引っかかり防止ガイドの下面図である。
【図１６ｃ】図１に示した引っかかり防止ガイドの側面図である。
【図１６ｄ】図１に示した引っかかり防止ガイドの上面図である。
【図１６ｅ】図１に示した引っかかり防止ガイドの背面図である。
【図１７】図１４ａ〜ｅに示した光ファイバコネクタプラグのハウジング内に位置している栓の斜視図である。
【図１８】図１７に示した栓の斜視図である。
【図１９ａ】図１８に示した栓の正面図である。
【図１９ｂ】図１８に示した栓の下面図である。
【図１９ｃ】図１８に示した栓の側面図である。
【図１９ｄ】図１８に示した栓の上面図である。
【図１９ｅ】図１８に示した栓の背面図である。
【図２０】ＳＣパッチパネルの配列であり、このパネルに接続した本発明の栓および光ファイバコネクタプラグを示す図である。
【発明を実施するための形態】
【００１４】
次に、図面を参照する。図１は、本発明に従って構成した光ファイバコネクタプラグ１０を示している。光ファイバコネクタプラグ１０は、正面１４および背面１６を有するハウジング１２を備えている。ハウジング１２は、背面プレート、パネル、後方シェル、またはシールド１８を備えている。ハウジング１２の上にはキー突起２０が取り付けられている。ハウジング１２内には、解放工具の先端部を受け入れて案内するために、ガイド２２、スロット、チャネル、または溝が備わっている。背面プレート１８内にある孔２４は、溝またはガイド２２に隣接している。解放工具の先端部が孔２４を通って背面プレート１８の中に挿入されると、先端部は、各孔２４の後ろにあるガイド２２に受け入れられ、このガイド内へスライドする。
【００１５】
ハウジング１２の側面には、ラッチアームなどのロック機構を受け入れるためのノッチ２６が設けられている。ハウジング１２の側面にはサイドレール２８も備えられ、光ファイバコネクタプラグ１０を結合アダプタ内に案内するためのスロットまたは溝２９を形成している。ハウジング１２内には光フェルール２７が収容され、ハウジング１２の正面１４から出ている。
【００１６】
光ファイバを収容するブーツ３２がハウジング１２の背面プレート、後部パネル、またはシールド１８に接続される。光フェルール２７を収容する光ファイバケーブル３０は、ブーツ３２内に収容されている。ブーツ３２の後方部には、柔軟性を増大して張力を緩和するために複数のノッチ３４が設けられている。光ファイバコネクタプラグ１０は、プラスチックなどのポリマーで作製されることが好ましい。
【００１７】
本発明によれば、引っかかり防止ガイド３５が背面プレート１８およびブーツ３２に接続される。引っかかり防止ガイド３５は、ブーツ３２と背面プレート１８の上部または縁との間に斜面を形成する。引っかかり防止ガイド３５は、プラスチックで作製されて、ハウジングまたはコネクタ本体１２の背面プレート１８に密着する斜面を形成することが好ましい。引っかかり防止ガイド３５を斜面形態にすることで、光ファイバコネクタプラグ１０の設置過程または取り外し過程で光ファイバコネクタプラグ１０が光ファイバケーブル３０に引っ張られる間に、光ファイバコネクタプラグ１０のハウジング１２の背面プレート１８の縁および角に掛からないようにするのを補助する。
【００１８】
図２ａ〜図２ｅは、図１に示した光ファイバコネクタプラグ１０の様々な図を示している。図２ａは、フェルール２７内に光ファイバを収容する光ファイバケーブル３０を有する光ファイバコネクタプラグ１０の正面１４を示している。
【００１９】
図２ｂ〜図２ｄはそれぞれ、光ファイバコネクタプラグ１０の下面、側面、上面を示している。図２ｅは、光ファイバコネクタプラグ１０および光ファイバケーブル３０の背面１６を示している。
【００２０】
本発明のさらに別の態様によれば、図２ｅは、複数の孔２４を示し、この複数の孔２４の少なくとも１つの孔３６は、他の孔２４とはサイズ、形状および構成が異なる。孔３６の構成が異なることで、取り外し工具の先端部に対する鍵構成が唯一のものになり、これによって唯一の鍵構成を形成する。追加のロックまたは鍵の組み合わせを形成して、正しく適合する先端部を有する別の取り外し工具が必要になるように、孔２４の位置は変更されてよい。さらに、孔２４は、２、３、４、５、または６など様々な数であってよく、円形、正方形、長方形、星形または三角形など様々な形状であってよい。
【００２１】
図３は、本発明による光ファイバ接続レセプタクルまたは結合アダプタ４０内に位置していて、同アダプタに接続している光ファイバコネクタプラグ１０の斜視図である。結合アダプタ４０は、キー突起２０を光ファイバコネクタプラグ１０のハウジング１２に受け入れて、光ファイバコネクタプラグ１０を結合アダプタ４０内に正しく位置決めするためのガイドスロット３８または溝を備えている。結合アダプタ４０は、結合アダプタ４０の両側に孔４２を有するマウントブラケット４３も備えている。結合アダプタ４０は、プラスチックで作製されることが好ましい。結合アダプタ４０の両側には、結合アダプタ４０をパネルアレイまたはその他のマウントプラットフォーム内に固定して静電荷を放電するために、柔軟な金属製タブ４４も備えられる。
【００２２】
図４ａ〜図４ｅは、結合アダプタ４０に接続し、同アダプタ内にある光ファイバコネクタプラグ１０の様々な図を示している。図４ａは、光ファイバコネクタプラグ１０および結合アダプタ４０の正面図であり、光ファイバが光ファイバケーブル３０内の光フェルール２７にあることを示している。結合アダプタ４０のブラケット４３、孔４２、および柔軟タブ４４も示されている。図４ｂ〜図４ｄはそれぞれ、結合アダプタ４０に接続された光ファイバコネクタプラグ１０の下面、側面および上面を示している。図４ｅは、結合アダプタ４０内にある光ファイバコネクタプラグ１０の背面図であり、孔２４、背面プレート１８、引っかかり防止ガイド３５、およびマウントブラケット４３のマウント穴または孔４２を示している。他の孔２４とは違って唯一の構成である、背面プレート１８にある孔３６も示されている。
【００２３】
図５は、本発明に従って構成した取り外し工具５０の斜視図である。本発明のもう１つの態様によれば、取り外し工具５０は、長手方向に、または取り外し工具５０の本体５２の長さに平行に延びる複数の先端部５５を備えている。上部５１にあるスロット５３と取り外し工具５０の本体５２の両側５６にあるスロット５９とで形成される柔軟なハンドル５４は、ユーザが把持した時に内側に動いて光ファイバコネクタプラグ１０をつかんで取り外すために設けられる。取り外し工具５０の本体５２の両側５６には、取り外し工具５０を用いて光ファイバコネクタプラグ１０を取り外す際に取り外し工具５０を把持しやすいように隆起部が備えられる。
【００２４】
図６は、図５に示した取り外し工具５０を異なる角度から見た斜視図であり、取り外し工具５０の正面６１にある先端部５５を示している。先端部５５は、金属で作製されて互いに平行に延びていることが好ましい。先端部５５は、光ファイバコネクタプラグ１０の背面プレート１８の孔２４の中に挿入されるようにサイズを決定され、位置決めされる。取り外し工具の両側５６にあるスロット６３は、光ファイバコネクタプラグ１０の引っかかり防止ガイド３５を受け入れるように位置決めされ、サイズを決定される。
【００２５】
図７ａは、取り外し工具５０の正面６１の図であり、先端部５５を示している。取り外し工具５０の上面５１にあるスロット５３、および取り外し工具５０の両側５６にあるスロット６３も示されている。取り外し工具５０内部には、上面５１と両側５６とで凹部６９が形成される。凹部６９は、光ファイバコネクタプラグ１０を結合アダプタ４０から取り外す過程で、光ファイバコネクタプラグ１０を受け入れて覆うようにサイズが決定され、構成される。
【００２６】
図７ｂ〜図７ｄはそれぞれ、図５および図６に示した取り外し工具５０の下面図、側面図および上面図である。図７ｅは、取り外し工具５０の後方６６の図であり、ハンドル５４および凹部６９を示している。
【００２７】
本発明のさらに別の態様によれば、図８は、取り外し工具５０にある他の先端部５５に比してサイズおよび形状が唯一のものである先端部６０の側面図である。図８に示した実施形態では、先端部６０は、取り外し工具５０の他の先端部５５よりも幅が狭い。もちろん、他の実施形態では、別の先端部が他の先端部５５よりも幅が広くてもよいし、あるいは断面が異なる構成であってもよい。
【００２８】
図９は、本発明による光ファイバコネクタプラグ１０の上にかぶさっている取り外し工具５０の斜視図である。先端部５５は、光ファイバコネクタプラグ１０のハウジング１２のガイド２２内に位置しているところが示されている。引っかかり防止ガイド３５は、取り外し工具５０の両側５６にあるスロット６３内に位置しているところが示されている。
【００２９】
図１０は、図９に示した光ファイバコネクタプラグ１０の上に被さっている取り外し工具５０の斜視図であり、光ファイバコネクタプラグ１０は、結合アダプタ４０内に位置している。光ファイバコネクタプラグ１０のキー突起２０は、光ファイバコネクタプラグ１０を結合アダプタ４０内に適切に位置決めするために結合アダプタ４０のガイドスロット３８内にあるところが示されている。
【００３０】
図１１ａは、図１０に示した結合アダプタ４０と、この結合アダプタ４０内にある光ファイバコネクタプラグ１０との正面図である。図１１ｂ〜図１１ｄは、図１０に示した取り外し工具５０、光ファイバコネクタプラグ１０、および結合アダプタ４０の下面図、側面図、および上面図である。図１１ｅは、図１０に示した取り外し工具５０および光ファイバコネクタプラグ１０の背面図である。
【００３１】
図１２は、図１０および図１１ａ〜図１１ｅに示した取り外し工具５０、光ファイバコネクタプラグ１０、および結合アダプタ４０を図１１ｃの線１２〜１２に沿って切り取った断面図である。本発明によれば、取り外し工具５０の先端部５５は、光ファイバコネクタプラグ１０のハウジング１２のガイド２２内にあるように示されている。先端部５５は、光ファイバコネクタプラグ１０の孔２４内に完全に挿入され、結合アダプタ４０を通っているため、先端部５５は、結合アダプタ４０のラッチアーム７２の下をスライドし、光ファイバコネクタプラグ１０のハウジング１２のノッチ２６からラッチアーム７２を出して引き離して光ファイバコネクタプラグ１０を結合アダプタ４０から解放する。図１２に示したように、光ファイバコネクタプラグ１０は、ラッチアーム７２が光ファイバコネクタプラグ１０のノッチ２６に係合することで結合アダプタ４０内に固定される。
【００３２】
図１３は、図１２に示した断面図の一部を拡大した図である。図示したのは、取り外し工具５０、光ファイバコネクタプラグ１０、および結合アダプタ４０の一部である。さらに詳細に見えるとおり、結合アダプタ４０のラッチアーム７２は、光ファイバコネクタプラグ１０を結合アダプタ４０内に固定するためにノッチ２６と係合する。先端部５５が孔２４の奥まで挿入されると、先端部５５の尖った端部がラッチアーム７２のフック部７７の下をスライドして、ラッチ７２を上げてノッチ２６から出して引き離す。このようにして光ファイバコネクタプラグ１０を結合アダプタ４０から解放し、光ファイバコネクタプラグ１０を結合アダプタ４０から取り外せるようになる。
【００３３】
図１４ａは、光ファイバコネクタプラグ１０のハウジング１２の正面図であり、光ファイバケーブル３０および内部コネクタ部品がない図である。図１４ｂ〜図１４ｄはそれぞれ、光ファイバケーブル３０および内部コネクタ部品がない状態の光ファイバコネクタプラグ１０のハウジング１２の下面図、側面図および上面図である。図１４ｅは、光ファイバケーブル３０および金属体、バネ、フェルールなどの内部コネクタ部品がないハウジング１２の背面図である。
【００３４】
図１５は、図１に示した引っかかり防止ガイド３５の斜視図である。引っかかり防止ガイド３５は、マウントリング３７によって一体に接続される。引っかかり防止ガイド３５およびマウントリング３７は、プラスチックで作製された一体品であることが好ましい。
【００３５】
図１６ａは、引っかかり防止ガイド３５およびマウントリング３７の正面図である。図１６ｂ〜図１６ｄはそれぞれ、引っかかり防止ガイド３５およびマウントリング３７の下面図、側面図および上面図である。図１６ｅは、引っかかり防止ガイド３５およびマウントリング３７の背面図である。
【００３６】
図１７は、光ファイバケーブル３０の代わりに栓またはコネクタプラグ７０を収容しているハウジング１２の斜視図である。ハウジング１２内にある栓７０は、権限のないアクセスが光ファイバコネクタプラグ１０を介して光ファイバレセプタクルまたはアダプタハウジングに達するのを防止する。栓７０は、背面プレート１８の後ろに見えるように光ファイバコネクタのハウジング１２の後ろで嵌合して、ハウジング１２のコネクタ口７１をふさぐ。栓７０が光コネクタのコネクタ口７１に係合し、ハウジング１２が結合アダプタ４０またはレセプタクルに差し込まれると、このレセプタクルは、アクセスされないように光ファイバコネクタ口をふさぐ。レセプタクルは、対応する鍵を備えた取り外し工具５０を用いてのみ取り外すことができる。
【００３７】
本発明の補足的特徴によれば、取り外し工具５０と引っかかり防止ガイド３５などのプラグ本体の特徴部とは、ペアであることがわかるように似た色であり、どのプラグがどのコネクタに差し込まれるのかがわかるようにぴったり合わさる。幅が様々な孔２４と先端部５５とからなるパターンは、色が様々な光ファイバコネクタプラグ１０と取り外し工具５０との組み合わせに対して変更されてよい。
【００３８】
図１８は、図１７に示した栓７０の斜視図である。
【００３９】
図１９ａ〜図１９ｅは、図１８に示した栓７０の様々な図である。図１９ａは正面図であり、図１９ｂは下面図であり、図１９ｃは側面図であり、図１９ｄは上面図であり、図１９ｅは背面図である。
【００４０】
図２０は、光ファイバコネクタプラグ１０のハウジング１２を収容している２つの光ファイバコネクタ４５を複数取り付けているパネル８０の斜視図である。パネル８０は、マウントプラグ８２によってある場所に固定されている。２つの光ファイバコネクタ４５内に収容されているハウジング１２の光ファイバコネクタ口７１は、栓７０または光ファイバブーツ３２のうちのいずれかを収容する。
【符号の説明】
【００４１】
１０       光ファイバコネクタプラグ
１２       ハウジング
１４       正面
１６       背面
１８       背面プレート
２０       キー突起
２２       ガイド
２４       孔
２６       ノッチ
２７       光フェルール
２８       サイドレール
２９       溝
３０       光ファイバケーブル
３２       ブーツ
３４       ノッチ
３５       防止ガイド
３６       孔
３７       マウントリング
３８       ガイドスロット
４０       結合アダプタ
４２       孔
４３       マウントブラケット
４４       タブ
４５       光ファイバコネクタ
５０       取り外し工具
５２       本体
５３       スロット
５４       ハンドル
５９       スロット
６３       スロット
７０       コネクタプラグ
７０       栓
７１       コネクタ口
７２       ラッチ
８０       パネル
８２       マウントプラグ
【図１】
0006294310.tif 000002
【図２ａ】
0006294310.tif 000003
【図２ｂ】
0006294310.tif 000004
【図２ｃ】
0006294310.tif 000005
【図２ｄ】
0006294310.tif 000006
【図２ｅ】
0006294310.tif 000007
【図３】
0006294310.tif 000008
【図４ａ】
0006294310.tif 000009
【図４ｂ】
0006294310.tif 000010
【図４ｃ】
0006294310.tif 000011
【図４ｄ】
0006294310.tif 000012
【図４ｅ】
0006294310.tif 000013
【図５】
0006294310.tif 000014
【図６】
0006294310.tif 000015
【図７ａ】
0006294310.tif 000016
【図７ｂ】
0006294310.tif 000017
【図７ｃ】
0006294310.tif 000018
【図７ｄ】
0006294310.tif 000019
【図７ｅ】
0006294310.tif 000020
【図８】
0006294310.tif 000021
【図９】
0006294310.tif 000022
【図１０】
0006294310.tif 000023
【図１１ａ】
0006294310.tif 000024
【図１１ｂ】
0006294310.tif 000025
【図１１ｃ】
0006294310.tif 000026
【図１１ｄ】
0006294310.tif 000027
【図１１ｅ】
0006294310.tif 000028
【図１２】
0006294310.tif 000029
【図１３】
0006294310.tif 000030
【図１４ａ】
0006294310.tif 000031
【図１４ｂ】
0006294310.tif 000032
【図１４ｃ】
0006294310.tif 000033
【図１４ｄ】
0006294310.tif 000034
【図１４ｅ】
0006294310.tif 000035
【図１５】
0006294310.tif 000036
【図１６ａ】
0006294310.tif 000037
【図１６ｂ】
0006294310.tif 000038
【図１６ｃ】
0006294310.tif 000039
【図１６ｄ】
0006294310.tif 000040
【図１６ｅ】
0006294310.tif 000041
【図１７】
0006294310.tif 000042
【図１８】
0006294310.tif 000043
【図１９ａ】
0006294310.tif 000044
【図１９ｂ】
0006294310.tif 000045
【図１９ｃ】
0006294310.tif 000046
【図１９ｄ】
0006294310.tif 000047
【図１９ｅ】
0006294310.tif 000048
【図２０】
0006294310.tif 000049